(57)【要約】【課題】上記課題を解消し、無線伝送路の電波状態が劣悪な状況下における再送回数の削減による伝送効率の向上と消費電力の削減とを図り得る無線データ通信装置を提供することにある。【解決手段】ＡＣＫ又はＮＡＫを含む無線信号を送信する送信部８と、無線信号を受信する受信部７と、受信した無線信号から同期信号を検出する同期検出部１と、受信した無線信号からＡＣＫ又はＮＡＫを検出するＡＣＫ／ＮＡＫ検出部２と、送信出力制御部３とで無線データ通信装置を構成する。送信出力制御部３によって、同期信号を検出されない場合及びＮＡＫが検出された場合は、送信部８における送信出力を増加させ、ＡＣＫが検出された場合は、送信部８における送信出力を減少させる。【選択図】  図１
2004254228.tif 000002
【特許請求の範囲】
【請求項１】
ＡＣＫ又はＮＡＫを含む無線信号を用いて無線通信を行う無線データ通信装置であって、
前記無線信号を送信する送信部と、前記無線信号を受信する受信部と、前記受信部が受信した前記無線信号から同期信号を検出する同期検出部と、前記受信部が受信した前記無線信号からＡＣＫ又はＮＡＫを検出するＡＣＫ／ＮＡＫ検出部と、送信出力制御部とを少なくとも有し、
前記送信出力制御部は、前記同期検出部が前記同期信号を検出できない場合及び前記ＡＣＫ／ＮＡＫ検出部がＮＡＫを検出した場合のうち少なくとも一方の場合に、前記送信部における送信出力を増加させ、前記ＡＣＫ／ＮＡＫ検出部がＡＣＫを検出した場合に、前記送信部における送信出力を減少させることを特徴とする無線データ通信装置。
【請求項２】
受信タイムアウト検出部と、出力増加要求部と、出力減少要求部とを更に有し、
前記受信タイムアウト検出部は、前記同期検出部における前記同期信号の検出の有無から、受信タイムアウトかどうかの判断を行い、
前記出力増加要求部は、前記受信タイムアウト検出部が受信タイムアウトと判断した場合及び前記ＡＣＫ／ＮＡＫ検出部がＮＡＫを検出した場合のうち少なくとも一方の場合に、前記送信出力制御部に対して出力増加要求を行い、
前記出力減少要求部は、前記ＡＣＫ／ＮＡＫ検出部でＡＣＫを連続して検出した回数をカウントして、前記回数の値と予め設定された閾値とを比較し、前記回数の値が前記閾値に到達した場合に、前記送信出力制御部に対し出力減少要求を行い、
前記送信出力制御部が、前記出力増加要求部から前記出力増加要求があった場合に、前記送信部における送信出力を増加させ、前記出力減少要求部から前記出力減少要求があった場合に、前記送信部における送信出力を減少させる請求項１記載の無線データ通信装置。
【請求項３】
前記送信出力制御部が、前記送信部の送信出力の増加ステップ数と前記送信部の送信出力の減少ステップ数とを、別々に設定する機能を有している請求項１記載の無線データ通信装置。
【請求項４】
前記送信部によって送信される無線信号に、同期信号とデータ信号とが含まれており、
前記送信出力制御部が、前記送信部における前記同期信号の送信出力と前記データ信号の送信出力とを別々に増加又は減少させる機能を有している請求項２記載の無線データ通信装置。
【請求項５】
前記送信出力制御部が、前記同期信号の送信出力の増加ステップ及び減少ステップ、更に、前記データ信号の送信出力の増加ステップ及び減少ステップ、それぞれを別々に設定する機能を有している請求項４記載の無線データ通信装置。
【請求項６】
前記送信出力制御部は、
前記出力増加要求部が、前記受信タイムアウト検出部による受信タイムアウトの判断に基づいて、前記出力増加要求を行った場合に、前記送信部における前記同期信号の送信出力を増加させ、
前記出力増加要求部が、前記ＡＣＫ／ＮＡＫ検出部によるＮＡＫの検出に基づいて、前記出力増加要求を行った場合に、前記送信部における前記データ信号の送信出力を増加させ、
前記出力減少要求部が前記出力減少要求を行った場合に、前記送信部における前記同期信号の送信出力と前記データ信号の送信出力とを減少させる請求項４記載の無線データ通信装置。
【請求項７】
前記出力増加要求部が、前記受信タイムアウト検出部による受信タイムアウトの判断に基づいて、前記出力増加要求を行った場合に、
前記送信出力制御部が、増加させた場合の前記同期信号の送信出力と、前記データ信号の送信出力とを比較し、両者の差が予め設定された値以上となる場合に、前記データ信号の送信出力も増加させる請求項６記載の無線データ通信装置。
【請求項８】
前記出力減少要求部が前記出力減少要求を行った場合に、
前記送信出力制御部が、減少させた前記同期信号の送信出力と、減少させた前記データ信号の送信出力とを比較し、両者の差が予め設定された値以上となる場合に、送信出力が大きい方の信号出力を更に減少させて、送信出力が小さい方の信号出力と同一にする請求項６記載の無線データ通信装置。
【請求項９】
前記送信出力制御部が、前記無線信号に含まれるデータ信号を複数個に分割して得られたサブデータ信号毎に、前記送信部における送信出力の増加又は減少を行う機能を有している請求項４記載の無線データ通信装置。
【発明の詳細な説明】
【０００１】
【発明の属する技術分野】
本発明は、ＡＣＫ（受信応答信号：Ａｃｋｎｏｗｌｅｄｇｅｍｅｎｔ）又はＮＡＫ（再送要求信号：Ｎｅｇａｔｉｖｅ  Ａｃｋｎｏｗｌｅｄｇｅｍｅｎｔ）を含む無線信号を用いて無線通信を行う無線データ通信装置に関し、特には、無線信号の受信状態に応じて送信出力の制御を行う無線データ通信装置に関する。
【０００２】
【従来の技術】
従来から、ＡＣＫ又はＮＡＫを含む無線信号を用いた無線データ通信装置が知られている。この無線データ通信装置においては、電力消費量の低減や電波妨害の抑制等を図るため、受信した無線信号から検出されたＡＣＫ又はＮＡＫに基づいて送信出力を制御する送信出力制御方式が採用されている（例えば、特許文献１参照）。
【０００３】
【特許文献１】
特開平８−８７７７号公報（第２−３頁、第１図）
【０００４】
【発明が解決しようとする課題】
ところで、例えば、無線データ通信装置自体の送信出力が弱いことや、無線伝送路の電波状態が不良であること等に起因して、送信した無線信号が通信相手の装置に受信されない場合、通信相手の装置からは応答信号が返って来ない状態となる。この場合、無線データ通信装置においては、送信出力を増加して通信相手の装置に無線信号が受信されるようにする必要がある。
【０００５】
しかしながら、上記の場合、上記に示す送信出力制御方式を採用する無線データ通信装置においては、ＡＣＫ又はＮＡＫを検出できず、これらに基づいて判断ができないため、送信出力を増加することは不可能である。よって、このように通信相手の装置からの応答が無い場合、上記に示す無線データ通信装置では、同じ送信出力で再送信を繰り返すことになる。この結果、伝送効率が著しく低下するという問題や電力を無駄に消費してしまうという問題を生じさせてしまう。
【０００６】
本発明の目的は、上記課題を解消し、無線伝送路の電波状態が劣悪な状況下における再送回数の削減による伝送効率の向上と消費電力の削減とを図り得る無線データ通信装置を提供することにある。
【０００７】
【課題を解決するための手段】
上記目的を達成するために本発明にかかる無線データ通信装置は、ＡＣＫ又はＮＡＫを含む無線信号を用いて無線通信を行う無線データ通信装置であって、前記無線信号を送信する送信部と、前記無線信号を受信する受信部と、前記受信部が受信した前記無線信号から同期信号を検出する同期検出部と、前記受信部が受信した前記無線信号からＡＣＫ又はＮＡＫを検出するＡＣＫ／ＮＡＫ検出部と、送信出力制御部とを少なくとも有し、前記送信出力制御部は、前記同期検出部が前記同期信号を検出できない場合及び前記ＡＣＫ／ＮＡＫ検出部がＮＡＫを検出した場合のうち少なくとも一方の場合に、前記送信部における送信出力を増加させ、前記ＡＣＫ／ＮＡＫ検出部がＡＣＫを検出した場合に、前記送信部における送信出力を減少させることを特徴とする。
【０００８】
上記本発明にかかる無線データ通信装置では、前記送信出力制御部が、前記送信部の送信出力の増加ステップ数と前記送信部の送信出力の減少ステップ数とを、別々に設定する機能を有しているのが好ましい。
【０００９】
上記本発明にかかる無線データ通信装置は、受信タイムアウト検出部と、出力増加要求部と、出力減少要求部とを更に有し、前記受信タイムアウト検出部は、前記同期検出部における前記同期信号の検出の有無から、受信タイムアウトかどうかの判断を行い、前記出力増加要求部は、前記受信タイムアウト検出部が受信タイムアウトと判断した場合及び前記ＡＣＫ／ＮＡＫ検出部がＮＡＫを検出した場合のうち少なくとも一方の場合に、前記送信出力制御部に対して出力増加要求を行い、前記出力減少要求部は、前記ＡＣＫ／ＮＡＫ検出部でＡＣＫを連続して検出した回数をカウントして、前記回数の値と予め設定された閾値とを比較し、前記回数の値が前記閾値に到達した場合に、前記送信出力制御部に対し出力減少要求を行い、前記送信出力制御部が、前記出力増加要求部から前記出力増加要求があった場合に、前記送信部における送信出力を増加させ、前記出力減少要求部から前記出力減少要求があった場合に、前記送信部における送信出力を減少させる態様とするのが好ましい。
【００１０】
上記態様においては、前記送信部によって送信される無線信号に、同期信号とデータ信号とが含まれており、前記送信出力制御部が、前記送信部における前記同期信号の送信出力と前記データ信号の送信出力とを別々に増加又は減少させる機能を有しているのが好ましい。
【００１１】
上記の場合、前記送信出力制御部が、前記同期信号の送信出力の増加ステップ及び減少ステップ、更に、前記データ信号の送信出力の増加ステップ及び減少ステップ、それぞれを別々に設定する機能を有しているのが好ましい。また、上記の場合、前記送信出力制御部が、前記無線信号に含まれるデータ信号を複数個に分割して得られたサブデータ信号毎に、前記送信部における送信出力の増加又は減少を行う機能を有しているのも好ましい。
【００１２】
更に、上記の場合、前記送信出力制御部は、前記出力増加要求部が、前記受信タイムアウト検出部による受信タイムアウトの判断に基づいて、前記出力増加要求を行った場合に、前記送信部における前記同期信号の送信出力を増加させ、前記出力増加要求部が、前記ＡＣＫ／ＮＡＫ検出部によるＮＡＫの検出に基づいて、前記出力増加要求を行った場合に、前記送信部における前記データ信号の送信出力を増加させ、前記出力減少要求部が前記出力減少要求を行った場合に、前記送信部における前記同期信号の送信出力と前記データ信号の送信出力とを減少させるのが好ましい。
【００１３】
また、上記の場合、前記出力増加要求部が、前記受信タイムアウト検出部による受信タイムアウトの判断に基づいて、前記出力増加要求を行った場合に、前記送信出力制御部が、増加させた場合の前記同期信号の送信出力と、前記データ信号の送信出力とを比較し、両者の差が予め設定された値以上となる場合に、前記データ信号の送信出力も増加させることができる。
【００１４】
更に、前記出力減少要求部が前記出力減少要求を行った場合に、前記送信出力制御部が、減少させた前記同期信号の送信出力と、減少させた前記データ信号の送信出力とを比較し、両者の差が予め設定された値以上となる場合に、送信出力が大きい方の信号出力を更に減少させて、送信出力が小さい方の信号出力と同一にすることもできる。
【００１５】
【発明の実施の形態】
（実施の形態１）
以下、本発明の実施の形態１にかかる無線データ通信装置について、図１及び図２を参照しながら説明する。図１は、本発明の実施の形態１にかかる無線データ通信装置の構成を示すブロック図である。図２は、図１に示す無線データ通信装置で送受信される無線信号の構成を示す図である。
【００１６】
本実施の形態１にかかる無線データ通信装置は、ＡＣＫ又はＮＡＫを含む無線信号を用いて、他の通信装置との間で無線通信を行う装置である。図２に示すように、送信及び受信する無線信号は同期信号Ｓ２とデータ信号Ｓ３とで構成されており、データ信号Ｓ３にＡＣＫ又はＮＡＫが含まれている。
【００１７】
図１に示すように、本実施の形態１にかかる無線データ通信装置は、同期検出部１、ＡＣＫ／ＮＡＫ検出部２、送信出力制御部３、受信タイムアウト検出部４、出力増加要求部５、出力減少要求部６、受信部７、送信部８、および送信信号生成部１２を少なくとも有している。
【００１８】
受信部７は、図２に示した無線信号を受信し、受信した無線信号を復調して復調信号Ｓ１を同期検出部１に出力する。同期検出部１は、復調信号Ｓ１から同期信号Ｓ２（図２参照）を検出し、同期信号を検出したことを示す信号（同期検出信号）Ｓ４を受信タイムアウト検出部４に出力する。また、同期検出部１は、同期信号Ｓ２を検出すると、データ信号Ｓ３をＡＣＫ／ＮＡＫ検出部２に出力する。
【００１９】
受信タイムアウト検出部４は、同期検出信号Ｓ４に基づいて、同期検出部１における同期信号Ｓ２の検出の有無を判定し、受信タイムアウトかどうかの判断を行う。具体的には、受信タイムアウト検出部４は、送信部８が他の通信装置に無線信号を送信してから、この装置からの同期信号Ｓ２を同期検出部１が検出して同期検出信号Ｓ４を入力するまでの時間をカウントするタイマを備えている。
【００２０】
受信タイムアウト検出部４は、予め設定された時間内に同期検出信号Ｓ４の入力がなかった場合は、タイムアウトと判断する。タイムアウトと判断した場合は、受信タイムアウト検出部４は、出力増加要求部５に、受信タイムアウト検出信号Ｓ７を出力する。
【００２１】
ＡＣＫ／ＮＡＫ検出部２は、受信部７が受信した無線信号からＡＣＫ又はＮＡＫを検出する。具体的には、ＡＣＫ／ＮＡＫ検出部２は、同期検出部１から出力されたデータ信号Ｓ３から、ＡＣＫ又はＮＡＫの検出を行う。ＮＡＫを検出した場合は、ＡＣＫ／ＮＡＫ検出部２は、出力増加要求部５にＮＡＫ検出信号Ｓ５を出力する。逆にデータ信号Ｓ３からＡＣＫを検出した場合は、ＡＣＫ／ＮＡＫ検出部２は、出力減少要求部６にＡＣＫ検出信号Ｓ６を出力する。
【００２２】
出力増加要求部５は、受信タイムアウト検出信号Ｓ７又はＮＡＫ検出信号Ｓ５が入力されると、送信出力制御部３に出力増加を要求するため出力増加要求信号Ｓ８を出力する。
【００２３】
また、出力減少要求部６は、ＡＣＫ／ＮＡＫ検出部２でＡＣＫを連続して検出した回数をカウントするＡＣＫ受信数カウンタ９と、ＡＣＫ受信数カウンタ９でカウントされた回数の値と予め設定された閾値とを比較する閾値比較器１０とを有している。出力減少要求部６は、閾値比較器１０による比較の結果、ＡＣＫ受信数カウンタ９でカウントされた回数の値が閾値に到達している場合は、送信出力制御部３に対し出力減少要求信号Ｓ９を出力する。
【００２４】
送信出力制御部３は、送信出力信号Ｓ１０を送信部８に出力して、送信部８の送信出力の制御を行っている。送信出力信号Ｓ１０は送信出力レベルを示すデジタル信号であり、送信部８は、送信出力信号Ｓ１０に示された送信出力レベルで送信を行う。具体的には、送信出力制御部３に出力増加要求信号Ｓ８が入力されると、送信出力制御部３は、送信出力信号Ｓ１０で示す送信出力レベルを増加させる。一方、送信出力制御部３に出力減少要求信号Ｓ９が入力されると、送信出力制御部３は、送信出力信号Ｓ１０で示す送信出力レベルを減少させる。
【００２５】
なお、送信出力信号Ｓ１０はアナログ信号であっても良い。この場合は、送信出力制御部３は送信出力信号Ｓ１０を送信部８に対して保持しており、この送信出力信号Ｓ１０の電圧レベルを増減させることによって、送信部８の送信出力の制御を行う。
【００２６】
また、送信出力制御部３は、送信出力レベルを予め設定されたステップ単位で増加又は減少することができ、任意のステップ数で送信出力レベルを増加又は減少させることによって、送信部８における送信出力の増加幅と減少幅の制御を行っている。更に、送信出力制御部３は、増加ステップ数と減少ステップ数とを別々に設定可能に構成されている。
【００２７】
送信信号生成部１２は、送信用の無線信号（送信信号）Ｓ２０を生成し、送信タイミングに従って送信部８へ出力する。送信信号Ｓ２０も、図２で示したように、同期信号Ｓ２とデータ信号Ｓ３とを含んでいる（図２参照）。
【００２８】
送信部８は、送信出力信号Ｓ１０が入力されると、入力された送信出力信号Ｓ１０で示された送信出力レベルで送信信号Ｓ２０を無線信号送信する。なお、高周波部１１は、高周波フィルタとして機能しており、受信部７と送信部８との両方で使用される機能ブロックである。
【００２９】
以上のように本実施の形態１にかかる無線データ通信装置よれば、無線信号の受信状態に応じて、他の通信装置に送信する無線信号の送信出力の制御が可能となるため、伝送効率の著しい低下を抑制でき、また、従来に比べて消費電力の削減を図ることができる。
【００３０】
特に、本実施の形態１においては、ＡＣＫ／ＮＡＫだけでなく同期信号の検出の有無によっても送信出力を制御できるため、通信相手となる他の通信装置からの応答が無い場合は、送信出力の増加が可能である。このため、再送回数を削減でき、高い伝送効率を確保することができる。
【００３１】
また、上述したように、本実施の形態１にかかる無線データ通信装置においては、閾値比較器１０の閾値や、送信出力制御部３が出力する送信出力信号Ｓ１０の送信出力レベルの増加ステップ数及び減少ステップ数は、任意に設定可能である。このため、例えば、消費電力の削減を重視する場合は減少ステップ数を増加ステップ数より大きくし、伝送効率を重視する場合は増加ステップ数を減少ステップ数より大きくすることで、消費電力と伝送効率の重み付けの調整ができる。よって、本実施の形態１にかかる無線データ通信装置によれば、無線伝送路の電波状態に柔軟に対応できる送信出力制御が可能であると言える。
【００３２】
（実施の形態２）
次に本発明の実施の形態２にかかる無線データ通信装置について、図３を参照しながら説明する。図３は、本発明の実施の形態２にかかる無線データ通信装置の構成を示すブロック図である。
【００３３】
図３に示すように、本実施の形態２にかかる無線データ通信装置は、出力増加要求部２５及び送信出力制御部２１の構成及び機能が、実施の形態１にかかる無線データ通信装置と異なっている。このため、送信出力制御部２１は、送信部８における同期信号Ｓ２（図２参照）の送信出力とデータ信号Ｓ３（図２参照）の送信出力とを別々に増加又は減少させることができる。それ以外の部分は、本実施の形態２にかかる無線データ通信装置は、実施の形態１にかかる無線データ通信装置と同様に構成されている。以下、図１に示す実施の形態１と異なる点について説明する。
【００３４】
本実施の形態２においては、出力増加要求部２５は、出力増加要求信号Ｓ８（図１参照）を出力する代わりに、送信出力制御部２１に対し、同期信号の送信出力の増加を要求する同期出力増加要求信号Ｓ１１と、データ信号の送信出力の増加を要求するデータ出力増加要求信号Ｓ１２とを出力する。
【００３５】
具体的には、出力増加要求部２５は、受信タイムアウト検出信号Ｓ７が入力された場合は、送信出力制御部２１に対して、同期出力増加要求信号Ｓ１１を出力する。また、出力増加要求部２５は、ＮＡＫ検出信号Ｓ５が入力された場合は、送信出力制御部２１に対して、データ出力増加要求信号Ｓ１２を出力する。
【００３６】
また、本実施の形態２においては、送信出力制御部２１は、同期信号制御部２２と、データ信号制御部２３と、出力選択部２４とを備えている。同期出力増加要求信号Ｓ１１は、同期信号制御部２２に入力される。データ出力増加要求信号Ｓ１２は、データ信号制御部２３に入力される。また、同期信号制御部２２及びデータ信号制御部２３には、出力減少要求部６からの出力減少要求信号Ｓ９も入力される。
【００３７】
同期信号制御部２２は、出力選択部２４に対して、送信部８における同期信号Ｓ２の送信出力を示す同期送信出力信号Ｓ１３を出力する。具体的には、同期信号制御部２２は、同期出力増加要求信号Ｓ１１が入力されると、同期送信出力信号Ｓ１３で示す送信出力レベルを増加させ、出力減少要求信号Ｓ９が入力されると、同期送信出力信号Ｓ１３で示す送信出力レベルを減少させる。なお、同期送信出力信号Ｓ１３は、デジタル信号であるが、実施の形態１で示した送信出力信号Ｓ１０と同様にアナログ信号であっても良い。
【００３８】
また、同期信号制御部２２は、同期送信出力信号Ｓ１３で示す送信出力レベルを予め設定されたステップ単位で増加又は減少することができ、また任意のステップ数によって同期送信出力信号Ｓ１３で示す送信出力レベルを増加又は減少させることにより、送信部８における同期信号Ｓ２の送信出力の増加幅と減少幅の制御を行っている。
【００３９】
データ信号制御部２３は、出力選択部２４に対して、送信部８におけるデータ信号Ｓ３の送信出力を示すデータ送信出力信号Ｓ１４を出力する。具体的には、データ信号制御部２３は、データ出力増加要求信号Ｓ１２が入力されると、データ送信出力信号Ｓ１４で示す送信出力レベルを増加させ、出力減少要求信号Ｓ９が入力されると、データ送信出力信号Ｓ１４で示す送信出力レベルを減少させる。なお、データ送信出力信号Ｓ１４も、デジタル信号であるが、実施の形態１で示した送信出力信号Ｓ１０と同様にアナログ信号であっても良い。
【００４０】
また、データ信号制御部２３も、同期信号制御部２２と同様に、データ送信出力信号Ｓ１４で示す送信出力レベルを予め設定されたステップ単位で増加又は減少することができ、また任意のステップ数によってデータ送信出力信号Ｓ１４で示す送信出力レベルを増加又は減少させることにより、送信部８におけるデータ信号Ｓ３の送信出力の増加幅と減少幅の制御を行っている。
【００４１】
また、本実施の形態２においては、送信信号生成部１２は、送信信号Ｓ２０を送信部８へ出力すると同時に、送信選択信号Ｓ２１を出力選択部２４に出力する。送信選択信号Ｓ２１は、送信信号生成部１２が、同期信号Ｓ２及びデータ信号Ｓ３のうちのいずれを出力しているかを示す信号である。
【００４２】
出力選択部２４は、送信選択信号Ｓ２１が同期信号出力を示していれば同期送信出力信号Ｓ１３を選択して、これを送信出力信号Ｓ１０として送信部８に出力する。また、出力選択部２４は、送信選択信号Ｓ２１がデータ信号出力を示していればデータ送信出力信号Ｓ１４を選択して、これを送信出力信号Ｓ１０として送信部８に出力する。送信部８は、送信出力信号Ｓ１０が入力されると、入力された送信出力信号Ｓ１０で示された送信出力レベルで送信信号Ｓ２０を無線信号として送信する。
【００４３】
以上のように本実施の形態２にかかる無線データ通信装置では、通信相手の通信装置が無応答の場合には、本無線データ通信装置から送信した無線信号が通信相手の通信装置において同期検出されていない可能性があるため、同期信号Ｓ２の送信出力のみを増加することができる。また、通信相手の通信装置からＮＡＫ応答があった場合は、同期信号Ｓ２は通信相手の通信装置で受信されているため、データ信号Ｓ３の送信出力のみを増加することができる。
【００４４】
よって、本実施の形態２にかかる無線データ通信装置によれば、同期信号Ｓ２の送信出力とデータ信号Ｓ３の送信出力とを個別に制御することができ、不要な電力が消費されるのを抑制できる。このことから、本実施の形態２にかかる無線データ通信装置によれば、実施の形態１に比べ、更なる消費電力と伝送効率の効率化を図ることができる。
【００４５】
（実施の形態３）
次に本発明の実施の形態３にかかる無線データ通信装置について、図４を参照しながら説明する。図４は、本発明の実施の形態３にかかる無線データ通信装置の構成を示すブロック図である。
【００４６】
図４に示すように、本実施の形態３にかかる無線データ通信装置は、送信出力制御部３１の構成及び機能が、実施の形態２にかかる無線データ通信装置と異なっている。それ以外の部分は、本実施の形態３にかかる無線データ通信装置は、実施の形態２にかかる無線データ通信装置と同様に構成されている。以下、図３に示す実施の形態２と異なる点について説明する。
【００４７】
本実施の形態３においては、送信出力制御部３１は、同期信号制御部３２と、データ信号制御部３３と、出力選択部３４とに加えて、更に出力比較調整部３５を備えている。また、本実施の形態３では、出力増加要求部２５からの同期出力増加要求信号Ｓ１１は、同期信号制御部３２と出力比較調整部３５との両方に入力される。なお、本実施の形態３において、送信信号生成部１２、同期信号制御部３２及び出力選択部３４は、実施の形態２と同様のものである。
【００４８】
出力比較調整部３５は、同期出力増加要求信号Ｓ１１が入力されると、それにより増加した同期送信出力信号Ｓ１３で示す送信出力レベルと、データ送信出力信号Ｓ１４で示す送信出力レベルとを比較する。出力比較調整部３５は、比較の結果、同期送信出力信号Ｓ１３で示す送信出力レベルが、データ送信出力信号Ｓ１４で示す送信出力レベルよりも、予め設定された任意のレベル以上大きいと判断した場合は、データ信号制御部３３に対して出力調整信号Ｓ１５を出力する。
【００４９】
データ信号制御部３３は、出力調整信号Ｓ１５が入力されると、データ送信出力信号Ｓ１４で示す送信出力レベルを予め設定されたステップ単位で増加させる。なお、データ送信出力信号Ｓ１４で示す送信出力レベルの増加ステップ数は、任意であり、無線伝送路の電波状態に応じて設定される。また、本実施の形態３では、データ送信出力信号Ｓ１４で示す送信出力レベルの増加ステップ数は、データ送信出力信号Ｓ１４で示す送信出力レベルが同期送信出力信号Ｓ１３で示す送信出力レベルと同等になるときが上限となるように設定されている。
【００５０】
このように、本実施の形態３においては、出力比較調整部３５の働きにより、出力増加要求部２５が、受信タイムアウト検出部４による受信タイムアウトの判断に基づいて出力増加要求を行った場合は、送信部８における増加させた場合の同期信号Ｓ２の送信出力と、送信部８におけるデータ信号Ｓ３の送信出力とが比較されることとなる。また、両者の差が予め設定された値以上となる場合に、送信部８におけるデータ信号の送信出力も増加することとなる。
【００５１】
このため、本実施の形態３にかかる無線データ通信装置によれば、同期信号Ｓ２の送信出力の制御情報を、データ信号Ｓ３の送信出力の制御に利用することができる。よって、無線伝送路の電波状態が劣化した場合において、データ信号Ｓ３の送信出力の制御に費やす時間を削減でき、伝送効率を向上することができる。また、本実施の形態３にかかる無線データ通信装置においても、実施の形態２と同様の効果を得ることもできる。
【００５２】
（実施の形態４）
次に本発明の実施の形態４にかかる無線データ通信装置について、図５を参照しながら説明する。図５は、本発明の実施の形態４にかかる無線データ通信装置の構成を示すブロック図である。
【００５３】
図５に示すように、本実施の形態４にかかる無線データ通信装置は、送信出力制御部４１を構成する出力比較調整部４５の構成及び機能が、実施の形態３にかかる無線データ通信装置と異なっている。それ以外の部分は、本実施の形態４にかかる無線データ通信装置は、実施の形態３にかかる無線データ通信装置と同様に構成されている。以下、図４に示す実施の形態３と異なる点について説明する。
【００５４】
本実施の形態４においては、出力比較調整部４５には、出力減少要求部６から出力減少要求信号Ｓ９が入力される。出力比較調整部４５は、出力減少要求Ｓ９が入力されると、それにより減少した同期送信出力信号Ｓ１３で示す送信出力レベルと、同じく減少したデータ送信出力信号Ｓ１４で示す送信出力レベルとを比較する。
【００５５】
出力比較調整部４５は、比較の結果、同期送信出力信号Ｓ１３で示す送信出力レベルがデータ送信出力信号Ｓ１４で示す送信出力レベルよりも、予め設定された任意のレベル以上大きいと判断した場合は、同期信号制御部４２に出力調整信号Ｓ１６を出力する。一方、データ送信出力信号Ｓ１４で示す送信出力レベルが同期送信出力信号Ｓ１３で示す送信出力レベルよりも、予め設定された任意のレベル以上大きいと判断した場合は、データ信号制御部４３に出力調整信号Ｓ１５を出力する。
【００５６】
同期信号制御部４２は、出力調整信号Ｓ１６が入力されると、同期送信出力信号Ｓ１３で示す送信出力レベルを減少させて、データ送信出力信号Ｓ１４で示す送信出力レベルと同じ大きさにする。一方、データ信号制御部４３は、出力調整信号Ｓ１５が入力されると、データ送信出力信号Ｓ１４で示す送信出力レベルを減少させて、同期送信出力信号Ｓ１３で示す送信出力レベルと同じ大きさにする。
【００５７】
このように、本実施の形態４においては、出力比較調整部４５の働きにより、出力減少要求部６が出力減少要求を行った場合は、送信部８における減少させた場合の同期信号Ｓ２の送信出力と、送信部８における減少させた場合のデータ信号Ｓ３の送信出力とが比較されることとなる。また、両者の差が予め設定された値以上となる場合は、送信部８における送信出力が大きい方の信号出力は、更に減少されて、送信出力が小さい方の信号出力と同一にされる。
【００５８】
このため、本実施の形態４にかかる無線データ通信装置によれば、無線伝送路の電波状態が一時的に不良となった場合等に、同期信号Ｓ２及びデータ信号Ｓ３のうち不要に大きくなった一方の送信出力を、最適な大きさに直ちに調整することが可能となるので、消費電力の更なる削減を図ることができる。また、本実施の形態４にかかる無線データ通信装置においても、実施の形態２と同様の効果を得ることもできる。
【００５９】
ここで、実施の形態２〜実施の形態４で示したデータ信号制御部（図３〜図５参照）の他の例について、図６及び図７を用いて説明する。図６は、図３〜図５で示したデータ信号制御部を更に機能拡張させた例を示すブロック図である。図７は、図６で示すデータ信号制御部を用いた場合の無線信号の構成を示す図である。
【００６０】
図６の例では、データ信号制御部５３は、サブデータ出力選択部５５と、Ｎ個のサブデータ信号制御部５４−１、５４−２、５４−３…５４−Ｎとを備えている。サブデータ信号制御部５４−１、５４−２、５４−３…５４−Ｎそれぞれには、出力増加要求部からのデータ出力増加要求信号Ｓ１２と出力減少要求部からの出力減少要求信号Ｓ９とが入力される。
【００６１】
データ信号制御部５３が、送信出力制御部のデータ信号制御部（図３〜図５参照）として用いられる場合、送信信号生成部１２は、図７に示すようにデータ信号Ｓ３をＮ個のサブデータ信号Ｓ３０−１、Ｓ３０−２、Ｓ３０−３…Ｓ３０−Ｎに分割する。なお、データ信号Ｓ３の分割数は、データ信号Ｓ３のデータ長に応じて任意に決定されるが、サブデータ信号制御部（５４−１〜５４−Ｎ）の個数Ｎよりも小さい範囲で選択される。また、送信信号生成部１２は、サブデータ選択信号を含む送信選択信号Ｓ２１をサブデータ出力選択部５５に出力する。サブデータ選択信号は、分割して得られたサブデータ信号Ｓ３０−１、Ｓ３０−２、Ｓ３０−３…Ｓ３０−Ｎのうち、いずれを出力しているかを示す信号である。
【００６２】
サブデータ信号制御部５４−１、５４−２、５４−３…５４−Ｎそれぞれは、データ出力増加要求信号Ｓ１２又は出力減少要求信号Ｓ９が入力されると、対応するサブデータ信号Ｓ３０−１、Ｓ３０−２、Ｓ３０−３…Ｓ３０−Ｎの送信部における送信出力を増減させるため、サブデータ送信出力信号Ｓ１７−１、Ｓ１７−２、Ｓ１７−３…Ｓ１７−Ｎで示す送信出力レベルを予め設定されたステップ単位で増減させる。
【００６３】
また、データ信号Ｓ３の分割数がＭ（Ｍ＜Ｎ）である場合は、サブデータ信号制御部５４−１〜５４−Ｍまでだけが動作し、サブデータ信号制御部５４−（Ｍ＋１）〜５４−Ｎまでは停止する。
【００６４】
サブデータ出力選択部５５は、サブデータ信号制御部５４−１、５４−２、５４−３…５４−Ｎによって出力されたサブデータ送信出力信号Ｓ１７−１、Ｓ１７−２、Ｓ１７−３…Ｓ１７−Ｎから、サブデータ選択信号で示されたサブデータ送信出力信号のみを選択し、データ送信出力信号Ｓ１４として出力する。
【００６５】
このように、図６に示すデータ信号制御部５３によれば、データ信号Ｓ３を複数個に分割して得られたサブデータ信号毎に、送信部８における送信出力の増加又は減少を行うことが可能になる。よって、例えば、無線信号に含まれるデータ信号Ｓ３のデータ長が長い場合は、データ信号Ｓ３の後半部分になるほど段階的に送信出力を大きくすることができる。また、データ信号Ｓ３においてエラー訂正能力が高い部分が存在する場合は、その部分の送信出力を小さくすることができる。このことから、図６に示すデータ信号制御部５３を用いることで、細やかな送信出力制御を可能にでき、更なる消費電力と伝送効率の効率化を図ることができる。
【００６６】
【発明の効果】
以上のように本発明にかかる無線データ通信装置によれば、ＡＣＫ又はＮＡＫの検出情報だけでなく、無線伝送路の電波状態が不良である等に起因して通信相手装置からの応答信号がない場合であっても、同期検出部において同期信号が検出されなかったことを検出し、送信出力制御部はその同期信号の未検出情報を用いて送信出力を制御することができるために、再送回数を削減して高い伝送効率を確保することができる。また、無線データ通信装置における消費電力の削減も図ることができる。
【図面の簡単な説明】
【図１】本発明の実施の形態１にかかる無線データ通信装置の構成を示すブロック図である。
【図２】図１に示す無線データ通信装置で送受信される無線信号の構成を示す図である。
【図３】本発明の実施の形態２にかかる無線データ通信装置の構成を示すブロック図である。
【図４】本発明の実施の形態３にかかる無線データ通信装置の構成を示すブロック図である。
【図５】本発明の実施の形態４にかかる無線データ通信装置の構成を示すブロック図である。
【図６】図３〜図５で示したデータ信号制御部を更に機能拡張させた例を示すブロック図である。
【図７】図６で示すデータ信号制御部を用いた場合の無線信号の構成を示す図である。
【符号の説明】
１  同期検出部
２  ＡＣＫ／ＮＡＫ検出部
３、２１、３１、４１  送信出力制御部
４  受信タイムアウト検出部
５、２５  出力増加要求部
６  出力減少要求部
７  受信部
８  送信部
２２、３２、４２  同期信号制御部
２３、３３、４３、５３  データ信号制御部
２４、３４、４４  出力選択部
３５、４５  出力比較調整部
５４−１〜５４−２  サブデータ信号制御部
５５  サブデータ出力選択部
Ｓ１  復調信号
Ｓ２  同期信号
Ｓ３  データ信号
Ｓ４  同期検出信号Ｓ４
Ｓ５  ＮＡＫ検出信号
Ｓ６  ＡＣＫ検出信号
Ｓ７  受信タイムアウト検出信号
Ｓ８  出力増加要求信号
Ｓ９  出力減少要求信号
Ｓ１０  送信出力信号
Ｓ１１  同期出力増加要求信号
Ｓ１２  データ出力増加要求信号
Ｓ１３  同期送信出力信号
Ｓ１４  データ送信出力信号
Ｓ１５、Ｓ１６  出力調整信号
Ｓ１７−１〜Ｓ１７−Ｎ  サブデータ送信出力信号
Ｓ３０−１〜Ｓ３０−Ｎ  サブデータ信号
【図１】
2004254228.tif 000003
【図２】
2004254228.tif 000004
【図３】
2004254228.tif 000005
【図４】
2004254228.tif 000006
【図５】
2004254228.tif 000007
【図６】
2004254228.tif 000008
【図７】
2004254228.tif 000009